(57)【要約】      （修正有）【課題】折畳式ステー装置を別体に設けておき、必要に応じて木製の折畳式テーブルに取り付けることができるようにする。【解決手段】折畳式ステー装置１が、第１部材２ａを外嵌可能な幅に設定された断面チャンネル状からなって直線状に延びる第２部材２ｂを有し、第１部材の内方端を第２部材の内方端に嵌合した状態で第２部材に枢着して、展開位置と折畳位置とに枢動可能なステー本体２と、前記第１部材の外方端に枢着されたブラケット４ｂ，５ｂに固定されて、天板に取り付けられる天板取付片４と、前記第２部材の外方端に枢着されたブラケットに固定されて、横桟部に取り付けられる横桟部取付片５と、前記第１部材と第２部材との枢着位置からずれた位置で、第１部材または第２部材から外方へ突出するハンドル６とからなっており、該ハンドルを動かすことで展開姿勢のステー本体２の折畳を容易にしうることを特徴とする。【選択図】図１
0003105877.tif 000002
【実用新案登録請求の範囲】
【請求項１】
天板と、該天板の前後両端側に配置されて折畳自在に枢着された左右一対の脚柱と、左右一対の脚柱間に掛け渡されて一体に連結する横桟部とからなる木製の座卓やテーブルに取り付けることができる折畳式ステー装置であって、
該折畳式ステー装置が、
プレート状または断面チャンネル状からなって直線状に延びる第１部材と、該第１部材を外嵌可能な幅に設定された断面チャンネル状からなって直線状に延びる第２部材とからなって、第１部材の内方端を第２部材の内方端に嵌合した状態で第２部材に枢着し、第１部材と第２部材とが連続して略直線状に延びる展開位置と、前記枢着位置から折れ曲がる折畳位置とに枢動可能なステー本体と、
前記第１部材の外方端、または第２部材の外方端のいずれか一方に枢着されたブラケットに一体に形成されて、前記天板に固定される天板取付片と、
前記第１部材の外方端、または第２部材の外方端のいずれか他方に枢着されたブラケットに一体に形成されて、前記横桟部に外嵌し掛止められると共に釘やネジ等の固定具で横桟部に固定される横桟部取付片と、
前記第１部材と第２部材との枢着位置からずれた位置で、第１部材または第２部材から外方へ突出するハンドルとからなっており、
該ハンドルを動かすことで展開姿勢のステー本体の折畳を容易にしうることを特徴とする折畳式ステー装置。
【請求項２】
天板と、該天板の前後両端側に配置されて折畳自在に枢着された左右一対の脚柱と、左右一対の脚柱間に掛け渡されて一体に連結する横桟部とからなる木製のテーブルに取り付けることができる折畳式ステー装置であって、
該折畳式ステー装置が、
断面チャンネル状からなって直線状に延びる第１部材と、該第１部材を外嵌可能な幅に設定された断面チャンネル状からなって直線状に延びる第２部材とからなって、第１部材の内方端を第２部材の内方端に嵌合した状態で第２部材に枢着し、第１部材と第２部材とが連続して略直線状に延びる展開位置と、前記枢着位置から折れ曲がる折畳位置とに枢動可能なステー本体と、
前記ステー本体に取り付けられて、ステー本体の展開時には展開方向に付勢し、ステー本体の折畳時には折畳方向に付勢する付勢手段と、
前記第１部材の外方端に枢着されたブラケットに一体に形成されて、前記天板に固定される天板取付片と、
前記第２部材の外方端に枢着されたブラケットに一体に形成されて、前記横桟部に外嵌し掛止められると共に釘やネジ等の固定具で横桟部に固定される横桟部取付片と、
前記第１部材と第２部材との枢着位置からずれた位置で、第２部材から外方へ突出するハンドルとからなっており、
該ハンドルを動かすことで展開姿勢のステー本体の折畳を容易にしうることを特徴とする折畳式ステー装置。
【請求項３】
天板と、該天板の前後両端側に配置されて折畳自在に枢着された左右一対の脚柱と、左右一対の脚柱間に掛け渡されて一体に連結する横桟部とからなる木製のテーブルに取り付けることができる折畳式ステー装置であって、
該折畳式ステー装置が、
断面チャンネル状からなって直線状に延びる第１部材と、該第１部材を外嵌可能な幅に設定された断面チャンネル状からなって直線状に延びる第２部材とからなって、第１部材の内方端を第２部材の内方端に嵌合した状態で第２部材に枢着し、第１部材と第２部材とが連続して略直線状に延びる展開位置と、前記枢着位置から折れ曲がる折畳位置とに枢動可能となっており、前記展開位置では展開方向に付勢し、折畳位置では折畳方向に付勢する付勢手段を有するステー本体を左右一対に設けており、
前記一対のステー本体のそれぞれの第１部材の外方端に枢着されたブラケットに一体に形成されて、前記天板に固定される天板取付片と、
前記一対のステー本体のそれぞれの第２部材の外方端に枢着されたブラケットに一体に形成されて、前記横桟部に外嵌し掛止められると共に釘やネジ等の固定具で横桟部に固定される横桟部取付片と、
前記一対のステー本体の第１部材と第２部材との枢着位置からずれた位置で、前記一対の第２部材間に掛け渡されて固定されたハンドルとからなっており、
該ハンドルを動かすことで展開姿勢のステー本体の折畳を容易にしうることを特徴とする折畳式ステー装置。
【請求項４】
天板取付片がプレート状からなっており、天板裏面に隙間無く当接して固定具により天板に固定され、横桟部取付片が断面チャンネル状または断面アングル状からなって、断面が正方形または長方形の横桟部に上から嵌め込み、固定具で横桟部取付片を横桟部に固定してなることを特徴とする請求項１から３に記載のいずれかの折畳式ステー装置。
【考案の詳細な説明】
【技術分野】
【０００１】
本考案は、木製の座卓やテーブルの折畳式脚柱に後からでも取り付けることができる折畳式ステー装置に関するものである。
【背景技術】
【０００２】
従来、脚柱を天板裏面に沿って折畳む折畳式テーブルに用いる折畳式ステー装置として、例えば実公昭５７−２２８３３号、実公昭６０−２２８１３号、実公昭６３−１１号などに示すように、２つのチャンネル部材を枢着して一方を鞘のようにして折畳むことができ、内部にスプリングを内蔵して展開姿勢や折畳姿勢をロックしうる構成が知られている。
しかし、これらの折畳ステー構造は、天板と脚部または脚部間の連結杆に一体に取り付けられるものであって、完成したテーブルに後から取り付ける構造は開示されていない。
【特許文献１】実公昭６０−２２８１３号公報  第３図参照
【考案の開示】
【考案が解決しようとする課題】
【０００３】
この考案の解決しようとする問題点は、折畳式ステー装置を別体に設けておき、必要に応じて木製の折畳式テーブルに取り付けることができるようにした点にある。
【課題を解決するための手段】
【０００４】
本考案は、天板と横桟部に取り付ける取付部をステー本体の両端に形成しておき、必要に応じて木製の折畳式脚柱に折畳式ステー装置を取り付けることができるようにしたことを最も主要な特徴とする。
前記課題を達成するために、請求項１の考案では、
天板と、該天板の前後両端側に配置されて折畳自在に枢着された左右一対の脚柱と、左右一対の脚柱間に掛け渡されて一体に連結する横桟部とからなる木製の座卓やテーブルに取り付けることができる折畳式ステー装置であって、
該折畳式ステー装置が、
プレート状または断面チャンネル状からなって直線状に延びる第１部材と、該第１部材を外嵌可能な幅に設定された断面チャンネル状からなって直線状に延びる第２部材とからなって、第１部材の内方端を第２部材の内方端に嵌合した状態で第２部材に枢着し、第１部材と第２部材とが連続して略直線状に延びる展開位置と、前記枢着位置から折れ曲がる折畳位置とに枢動可能なステー本体と、
前記第１部材の外方端、または第２部材の外方端のいずれか一方に枢着されたブラケットに一体に形成されて、前記天板に固定される天板取付片と、
前記第１部材の外方端、または第２部材の外方端のいずれか他方に枢着されたブラケットに一体に形成されて、前記横桟部に外嵌し掛止められると共に釘やネジ等の固定具で横桟部に固定される横桟部取付片と、
前記第１部材と第２部材との枢着位置からずれた位置で、第１部材または第２部材から外方へ突出するハンドルとからなっており、
該ハンドルを動かすことで展開姿勢のステー本体の折畳を容易にしうることを特徴とする。
【０００５】
請求項２の考案では、
天板と、該天板の前後両端側に配置されて折畳自在に枢着された左右一対の脚柱と、左右一対の脚柱間に掛け渡されて一体に連結する横桟部とからなる木製のテーブルに取り付けることができる折畳式ステー装置であって、
該折畳式ステー装置が、
断面チャンネル状からなって直線状に延びる第１部材と、該第１部材を外嵌可能な幅に設定された断面チャンネル状からなって直線状に延びる第２部材とからなって、第１部材の内方端を第２部材の内方端に嵌合した状態で第２部材に枢着し、第１部材と第２部材とが連続して略直線状に延びる展開位置と、前記枢着位置から折れ曲がる折畳位置とに枢動可能なステー本体と、
前記ステー本体に取り付けられて、ステー本体の展開時には展開方向に付勢し、ステー本体の折畳時には折畳方向に付勢する付勢手段と、
前記第１部材の外方端に枢着されたブラケットに一体に形成されて、前記天板に固定される天板取付片と、
前記第２部材の外方端に枢着されたブラケットに一体に形成されて、前記横桟部に外嵌し掛止められると共に釘やネジ等の固定具で横桟部に固定される横桟部取付片と、
前記第１部材と第２部材との枢着位置からずれた位置で、第２部材から外方へ突出するハンドルとからなっており、
該ハンドルを動かすことで展開姿勢のステー本体の折畳を容易にしうることを特徴とする。
【０００６】
また、請求項３の考案では、
天板と、該天板の前後両端側に配置されて折畳自在に枢着された左右一対の脚柱と、左右一対の脚柱間に掛け渡されて一体に連結する横桟部とからなる木製のテーブルに取り付けることができる折畳式ステー装置であって、
該折畳式ステー装置が、
断面チャンネル状からなって直線状に延びる第１部材と、該第１部材を外嵌可能な幅に設定された断面チャンネル状からなって直線状に延びる第２部材とからなって、第１部材の内方端を第２部材の内方端に嵌合した状態で第２部材に枢着し、第１部材と第２部材とが連続して略直線状に延びる展開位置と、前記枢着位置から折れ曲がる折畳位置とに枢動可能となっており、前記展開位置では展開方向に付勢し、折畳位置では折畳方向に付勢する付勢手段を有するステー本体を左右一対に設けており、
前記一対のステー本体のそれぞれの第１部材の外方端に枢着されたブラケットに一体に形成されて、前記天板に固定される天板取付片と、
前記一対のステー本体のそれぞれの第２部材の外方端に枢着されたブラケットに一体に形成されて、前記横桟部に外嵌し掛止められると共に釘やネジ等の固定具で横桟部に固定される横桟部取付片と、
前記一対のステー本体の第１部材と第２部材との枢着位置からずれた位置で、前記一対の第２部材間に掛け渡されて固定されたハンドルとからなっており、
該ハンドルを動かすことで展開姿勢のステー本体の折畳を容易にしうることを特徴とする。
更に、請求項４の考案では、
前記天板取付片がプレート状からなっており、天板裏面に隙間無く当接して固定具により天板に固定され、横桟部取付片が断面チャンネル状または断面アングル状からなって、断面が正方形または長方形の横桟部に上から嵌め込み、固定具で横桟部取付片を横桟部に固定してなることを特徴とする。
【考案の効果】
【０００７】
本考案の折畳式ステー装置では、完成した折畳式座卓やテーブルであっても、後から折畳式ステー装置を取り付けることができるという利点がある。
また、ハンドルを設けることで、ステー本体が付勢手段の弾発力で緊張した展開時であっても、上記ハンドルを動かして容易に折畳むことができる。
【考案を実施するための最良の形態】
【０００８】
以下に、この考案の折畳式ステー装置の好適実施例について図面を参照しながら説明する。
この折畳式ステー装置１は、図５に示すように天板１１と、該天板１１の前後両端側に配置されて折畳自在に枢着された左右一対の脚柱１２と、左右一対の脚柱１２間に掛け渡されて一体に連結する横桟部１３とからなる木製の折畳式テーブル１０に取り付けることができる。
【実施例１】
【０００９】
図１から図３に示す折畳式ステー装置１は、第１部材２ａと、該第１部材２ａに枢着点Ｐ１で枢着された第２部材２ｂとからなって折畳自在な１本のステー本体２と、該ステー本体２に取り付けられた付勢手段の一例として示すコイルスプリング３と、前記第１部材２ａの外方端に枢着された天板取付片４と、前記第２部材２ｂの外方端に枢着された横桟部取付片５と、前記ステー本体２に一体に設けられたハンドル６とからなっている。
【００１０】
前記第１部材２ａは、断面チャンネル状からなって直線状に延びており、第２部材２ｂは前記第１部材２ａを外嵌可能な幅に設定された断面チャンネル状からなって直線状に延びている。
図示例では、第１部材２ａの内方端を幅狭に設定して第２部材２ｂの内方端に嵌合しうるようにしており、ステー本体２としては外観上同じ幅となるように形成されている。
【００１１】
そして、第１部材２ａの内方端を第２部材２ｂの先端となる内方端に重ねて嵌め込み、嵌合した状態で第１部材２ａと第２部材２ｂを枢着点Ｐ１で枢着しており、第１部材２ａと第２部材２ｂとが連続して略直線状に延びる展開位置と、前記枢着位置から折れ曲がる折畳位置とに枢動可能となっている。
【００１２】
上記枢着点Ｐ１は、図３に明瞭なように、ステー本体２の溝開口側寄りに配置されている。
一方、前記枢着点Ｐ１と上下方向に離間して、ステー本体２の溝底部側には第１部材２ａと第２部材２ｂの間にコイルスプリング３が掛け渡されている。
即ち、コイルスプリング３の一端が第１部材２ａの中途位置に、他端が第２部材２ｂの内方端寄りに取り付けられており、図５（ａ）で示すステー本体２の展開時には、該コイルスプリング３は前記枢着点Ｐ１を超えた展開方向に変位して弾発力で展開姿勢を維持し、図５（ｂ）で示すステー本体２の折畳時には枢着点Ｐ１を反対方向に超えた折畳側に変位してコイルスプリング３の収縮力で折畳姿勢を維持する公知構成からなっている。
上記実施例で、付勢手段として引きバネとしてのコイルスプリングを例示したが、捻りバネ、その他公知のバネを用いてもよい。
【００１３】
次ぎに、天板取付片４は、ネジ等を取り付けるための孔４ｃを穿設したプレート本体４ａからなって、該プレート本体４ａの略中央に断面コ字状の第１ブラケット４ｂが固設されている。
そして、この第１ブラケット４ｂが、前記第１部材２ａの外方端に枢着点Ｐ２によって枢着して天板取付片４がステー本体２に取り付けられる。
【００１４】
横桟部取付片５は、横桟部１３に嵌合可能な幅に設定された断面チャンネル状で直線状に延びる嵌合部５ａからなって、該嵌合部５ａの略中央に断面コ字状の第２ブラケット５ｂが固設されている。
図示例の場合、嵌合部５ａの底壁面には、ネジ等を取り付けるための孔５ｃを穿設している。
【００１５】
そして、この第２ブラケット５ｂが、前記第２部材２ｂの外方端に枢着点Ｐ３によって枢着して横桟部取付片５がステー本体２に取り付けられる。
また、前記第２部材２ｂの外側には、第１部材２ａとの枢着点Ｐ１からずれた位置で、横方向に延びるバー状のハンドル６が突設している。
【００１６】
上記構成からなっているので、木製の折畳式テーブル１０の断面矩形の横桟部１３に横桟部取付片５の嵌合部５ａを略隙間無く嵌め込む。
そして、底壁面に設けた孔５ｃから固定具の一例として示すネジ７を差し込み横桟部１３に固着する（図４参照）。
次ぎに、同様に、天板取付片４のプレート本体４ａを、天板１１裏面の所定位置に押し当てて、孔４ｃにネジ７を差し込み天板１１裏面に固着する。
【００１７】
この固定に際して、前記天板取付片４や横桟部取付片５はそれぞれ第１ブラケット４ｂ、第２ブラケット５ｂによってステー本体２に対して自由な角度に枢動変位しうるので、取付を容易に行うことができる。
このようにして、折畳式ステー装置１が折畳式テーブル１０に取り付けることができる。
そして、使用に際しては、ステー本体２が展開姿勢の場合に、前記ハンドル６を折畳方向（図中ａ方向）に動かして、前記コイルスプリング３の展開方向のロックを解除し、脚柱１２を容易に折畳むことができる。
【実施例２】
【００１８】
図６および図７に示す折畳式ステー装置１は、ステー本体２を左右に離間して２つ並べた異なる実施例を示す。
この場合、ステー本体２の構造は前記実施例と同様であり、１つの天板取付片４、１つの横桟取付部５に２つのステー本体２を枢着した点に差異がある。
【００１９】
即ち、天板取付片４は、プレート本体４ａの左右に一対の第１ブラケット４ｂ、４ｂを設けている。
また、横桟部取付片５は、嵌合部５ａの左右に一対の第２ブラケット５ｂを設けている。
そして、一対のステー本体２の第１部材２ａの外方端に前記第１ブラケット４ｂが枢着され、第２部材２ｂの外方端に前記第２ブラケット５ｂが枢着されて、一対のステー本体２が天板取付片４と横桟取付部５に枢着される。
【００２０】
また、第２部材２ｂ間には、枢着点Ｐ１からずれた位置で、第２部材２ｂ間に掛け渡されてハンドル６が固定されている。
その他の構成は、前記実施例１と同様であるので、同一の構成には同一の符号を付してその説明を省略する。
この場合は２つのステー本体２を用いるので、大型の折畳式テーブルに用いることができる。
【実施例３】
【００２１】
図８および図９に示す簡易型の折畳式ステー装置１は、ステー本体２の第１部材２ａがプレート状からなっている異なる実施例を示す。
この実施例では、第１部材２ａを幅狭の断面チャンネル状に形成し、第２部材２ｂを上記溝に嵌合可能なプレート状に形成し、第２部材２ｂを第１部材２ａに嵌め込んで枢着点Ｐ１で枢着した構造からなっており、ステー本体２を付勢するコイルスプリング３等の付勢手段を省略している。
【００２２】
なお、第１部材２ａの外方端は、左右の側片を重ねてブラケット２ｄに形成している。
また、天板取付片４の第１ブラケット４ｂは、アングル片からなっている。
更に、横桟部取付片５は、嵌合部５ａが、横桟部１３の上面と背面とに掛止めることができるように断面アングル状に形成されており、上面に当接する側に孔５ｃが穿設されており、また第２ブラケット５ｂもアングル片からなっている。
これによりステー本体の薄型化、軽量化を図ることができる。
【００２３】
その他の構成は、前記実施例２と同様であるので、同一構成には同一符号を付して説明を省略する。
また、この実施例のステー本体やブラケットの構造は、ステー本体を１つだけ用いる前記実施例１に置き換えて適用してもよい。  
上記各実施例で、横桟部取付片は、横桟部の外形に沿って嵌合する形状が好ましく、横桟部が丸棒形状の場合には断面円弧形状とするなど、前記実施例の形状に限定されない。
その他、要するにこの発明の要旨を変更しない範囲で種々設計変更しうること勿論である。
【図面の簡単な説明】
【００２４】
【図１】実施例１の折畳式ステー装置の平面図である。
【図２】同底面図である。
【図３】展開状態の折畳式ステー装置の断面図である。
【図４】折畳式テーブルへの取付状態を示す折畳式ステー装置の側面図である。
【図５】（ａ）は折畳式テーブルの展開時の折畳式ステー装置を示す側面図、（ｂ）は折畳時の折畳式ステー装置である。
【図６】実施例２の折畳式ステー装置の平面図である。
【図７】同底面図である。
【図８】実施例３の折畳式ステー装置の平面図である。
【図９】同底面図である。
【符号の説明】
【００２５】
１    折畳式ステー装置
２    ステー本体
２ａ  第１部材
２ｂ  第２部材
３    コイルスプリング
４    天板取付片
４ａ  プレート本体
４ｂ  第１ブラケット
５    横桟部取付片
５ａ  嵌合部
５ｂ  第２ブラケット
６    ハンドル
７    ネジ
１０    木製の折畳式テーブル
１１    天板
１２    脚柱
１３    横桟部
Ｐ１    枢着点
【図１】
0003105877.tif 000003
【図２】
0003105877.tif 000004
【図３】
0003105877.tif 000005
【図４】
0003105877.tif 000006
【図５】
0003105877.tif 000007
【図６】
0003105877.tif 000008
【図７】
0003105877.tif 000009
【図８】
0003105877.tif 000010
【図９】
0003105877.tif 000011